(57)【要約】      （修正有）【課題】プラスチック一体成型によるディスクを固定収納できるケースで、ディスクを多数枚収納できるディスク包装保管ケースの提供。【解決手段】底蓋１外周に周り縁３をとって側面ガード４を立上げ、底蓋１のセンター線上にディスク穴が入るディスク穴差込棒５が、根元にディスク浮かし台６を付けてケース内高で立上り、底蓋１から同幅で境にＶカット折筋７を付けて背面８・表蓋９の順で続き、表蓋９の外周に側面２が立上って全体にケースを成すもので、ケースを閉じた際、ディスク穴差込棒５の頭がはまるよう表蓋９にリング１０を成し、側面２にロック突起１１と側面ガード４にロック突起受け凹１２を成してケースをロックするもので、リング１０を表蓋９から切離してリング１０とディスク穴差込棒５にネジを切ったものや、ディスク穴差込棒５をパイプ状にしリング凹部を凸棒にして差込むものや、ディスク穴と同穴をあけたインデックスシート１３を組込んだものとしても良い。【選択図】図１
0003106472.tif 000002
【実用新案登録請求の範囲】
【請求項１】
四角形の底蓋１の周囲から、側面２の素材厚より若干広目の周り縁３をとって側面ガード４を立上げ、底蓋１のほぼセンター線上に、ディスク穴がほぼ丁度入る大きさのディスク穴差込棒５が、その根元にディスク浮かし台６を付けてほぼケース内高で立上がり、さらに底蓋１奥辺がＶカット折筋７となって背面８が続き、さらに背面８先辺がＶカット折筋７となって表蓋９が続き、表蓋９周囲に側面２が立上がって、全体としてケースを成すもので、さらにケースを閉じた際に、丁度ディスク穴差込棒５の頭が入るように、表蓋９にリング１０が立上がっているのに加え、側面２のロック突起１１が、側面ガード４のロック突起受け凹１２にはまってケースをロックするように成した、ディスク固定棒付ディスク包装保管ケース。
【請求項２】
リング１０を表蓋９から切り離して、リング１０とディスク穴差込棒５とにネジを切ってネジ込む、請求項１記載のディスク固定棒付ディスク包装保管ケース。
【請求項３】
ディスク穴差込棒５をパイプ状にし、リング１０の中を凹にせずに、逆にディスク穴差込棒５にほぼ丁度差込める凸棒にした、請求項１記載のディスク固定棒付ディスク包装保管ケース。
【請求項４】
ディスクの穴と同位置同穴になるように穴をあけ、インデックス記入部分がディスクより突出する形にしたインデックスシート１３を別途に設けて組込む、請求項１・２・３記載のディスク穴固定棒付ディスク包装保管ケース。
【考案の詳細な説明】
【技術分野】
【０００１】    本考案はコンパクトディスクを包装保管するためのケースに関する。
【背景技術】
【０００２】    従来のディスク包装保管ケースにおいては、ディスク穴を固定するツメが付いたプラスチックケースや、ディスク穴を差込む棒の付いたスピンドルケースがある。
【考案の開示】
【考案が解決しようとする課題】
【０００３】    従来のディスク包装保管ケースにあっては、いずれもケース全体をプラスチックで一体成型できないので、コスト高と包装手間がかかり、プラスチックケースにおいては、ディスクを１枚しか収納できないので、保管スペースとコスト高の問題点があり、スピンドルケースにおいては、ユーザーが保管ファイルケースとして活用できず、別途保管ケースを必要とする問題点があった。
【課題を解決するための手段】
【０００４】    上記課題を解決するために、本考案のディスク包装保管ケースにおいては、四角形の底蓋１の周囲から、側面２の素材厚より若干広目の周り縁３をとって側面ガード４を立上げ、底蓋１のほぼセンター線上に、ディスク穴がほぼ丁度入る大きさのディスク穴差込棒５が、その根元にディスク浮かし台６を付けてほぼケース内高で立上がっている。【０００５】    さらに底蓋１奥辺がＶカット折筋７となって背面８が続き、さらに背面８先辺がＶカット折筋７となって表蓋９が続き、表蓋９周囲に側面２が立上がって、全体としてケースを成すものである。【０００６】    さらにケースを閉じた際に、丁度ディスク穴差込棒５の頭が入るように、表蓋９にリング１０が立上がっているのに加え、側面２のロック突起１１が、側面ガード４のロック突起受け凹１２にはまってケースをロックするように成している。【０００７】    またリング１０を表蓋９から切り離して、リング１０とディスク穴差込棒５とにネジを切ってネジ込むようにすることもできる。【０００８】    またディスク穴差込棒５をパイプ状にし、リング１０の中を凹にせずに、逆にディスク穴差込棒５にほぼ丁度差込める凸棒にすることもできる。【０００９】    またディスクの穴と同位置同穴になるように穴をあけ、インデックス記入部分がディスクより突出する形にしたインデックスシート１３を別途に設けて、本考案のディスク包装保管ケースに組込むこともできる。
【考案の効果】
【００１０】    本考案のディスク包装保管ケースは、プラスチックで一体成型できるので、低コストで製造でき、包装手間もかからない効果がある。【００１１】    またディスク穴差込棒５にディスク穴を差込むだけで、ディスクをほぼディスク穴差込棒５の長さまで、簡単スピーディに重ねて多数枚収納することができる効果がある。【００１２】    またケースを閉じると、ディスク穴差込棒５の頭が表蓋９のリング１０に自動的にはまり、ディスクを押え込んで固定できる効果があると同時に、ディスク浮かし台６とリング１０によって、ディスク入力面と印刷面が浮いてケースにふれないので、熱や外圧等からディスクを安全に保護できる効果があり、リング１０を表蓋９から切り離したものでは、ケースを開けた状態でディスク穴差込棒５にリング１０をはめられる効果がある。【００１３】    またケースを閉じると、側面２が周り縁３まで下りて側面ガード４にほぼ外接し、スキ間を無くしてホコリが入るのを防ぐ効果と、側面２が外圧によって内側に押しへしゃげない効果があるのに加え、側面２のロック突起１１が側面ガード４のロック突起受け凹１２にはまって、ケースにロックがかかり自然にケースが開かない効果がある。【００１４】    またブック型のケースなので、背面８にインデックスシール等を貼付することができるため、多数のケース保管ファイルの中から、容易に目的のケースを背面８のインデックスシールに記入したインデックスで検索することができる効果がある。【００１５】    またリング１０を表蓋９から切り離したものや、切り離したリング１０とディスク穴差込棒５とにネジを切ってネジ込むようにしたものでは、リング１０をディスク穴差込棒５に自由にスライドさすことができるので、所望のディスク収納枚数に応じてディスクをピッタリ押え込んで固定でき、またケースからディスクが抜落ちるのを防ぐ効果もある。【００１６】    またインデックスシート１３をケースに組込むものは、ディスク１枚毎にインデックスシート１３をディスク穴差込棒５に挟み込むことにより、ケースに収納したままインデックスシート１３をめくるだけで目的のディスクを検索することができる効果がある。
【考案を実施するための最良の形態】
【００１７】    四角形の底蓋１の奥辺以外の全周端から、側面２の素材厚より若干広目に周り縁３をとり、そこから底蓋１が反って変形しないよう補強できる幅と高さの側面ガード４を直角に立上げ、その内にディスクが入る底蓋１の大きさとするものである。【００１８】    さらに底蓋１のほぼセンター線上に、ディスク穴周囲で入力面外部分にほぼ合わせた大きさの円形で、ディスクをケースから浮かす適当厚のディスク浮かし台６が立上がり、さらにその中心上にディスク穴がほぼ丁度入る円柱で、その先周りを少し丸めたディスク穴差込棒５が立上り、その両者を合わせた高さはほぼケース内高としている。【００１９】    さらに底蓋１奥辺全幅がＶカット折筋７となって、所望数のディスクが収納できる幅の背面８が同幅で続き、さらに背面８先辺全幅がＶカット折筋７となって底蓋１と同寸の表蓋９が続き、表蓋９全外周に側面２が直角に立上り、全体としてブック型のケースを成すものである。【００２０】    さらにケースを閉じた際に、丁度ディスク穴差込棒５の頭に当たる位置で、その頭がほぼ丁度入る大きさの穴が真中にあいた、ほぼディスク浮かし台６と同寸のリング１０が、表蓋９の内側に立上がっている。【００２１】    さらにケース開け口側の側面２の両サイド付近下端に、小さなかまぼこ状のロック突起１１が直角に内側に突出し、ケースを閉じた際、周り縁３の丁度ロック突起１１が当たる位置に、ロック突起１１より若干大き目のロック突起受け凹１２をくぼませている。
【実施例】
【００２２】    底蓋１から立上げる周り縁３の高さは自由な高さにしても良く、また均一な高さとせず、所望に応じて高さを違えたり、自由な形にしても良い。【００２３】    また底蓋１と表蓋９は、ディスクがほぼ丁度入る大きさの四角形にするのが一般的であるが、ケースに成れば自由な形や大きさにしても良く、ディスク穴差込棒５やディスク浮かし台６やリング１０も、外径寸が同じでしかもはまれば自由な形にしても良い。【００２４】    またロック突起１１とロック突起受け凹１２は、側面２と周り縁３に設けて噛合いロックできる形や位置や数であれば自由に設けても良く、場合によっては側面２や周り縁３から突出させて設けても良い。【００２５】    またリング１０を表蓋９から切り離したものや、切り離したリング１０とディスク穴差込棒５とに噛合うネジを切ったものにして、ディスク穴差込棒５に自由にスライドできるようにしたものでも良い。【００２６】    またディスク穴差込棒５をパイプ状にし、リング１０の真中を凹にせずに、逆にディスク穴差込棒５にほぼ差し込める凸棒にしてリング１０真中から立上げても良く、またこのようにしたリング１０を表蓋９から切り離して、フタのようにしてディスク穴差込棒５に差込むようにしても良い。【００２７】    またディスクの穴と同位置同穴になるように穴をあけ、インデックス記入部分がディスクより突出する形にしたインデックスシート１３を、紙やプラスチックシート等で別途に作成して設けて、ディスク１枚毎に交互にディスク穴差込棒５に差込みセットする、インデックスシート１３付きの本考案のディスク包装保管ケースとしても良く、その全形は自由にしても良い。
【産業上の利用可能性】
【図面の簡単な説明】
【００２８】
【図１】  本考案のディスク固定棒付ディスク包装保管ケースの実施例を示した斜視図である。
【図２】  図１のリング１０を表蓋９から切離し、リング１０とディスク穴差込棒５とにネジを切った、ディスク固定棒付ディスク包装保管ケースの実施例を示した斜視図。
【図３】  図１のディスク穴差込棒５をパイプ状にし、リング１０の真中の凹部を、凸棒にして設けた、ディスク固定棒付ディスク包装保管ケースの実施例を示した斜視図。
【図４】  インデックスシート１３の実施例の一例を示した正面図である。
【図５】  インデックスシート１３の実施例の一例を示した正面図である。
【図６】  インデックスシート１３付きディスク固定棒付ディスク包装保管ケースとしたものの、使用時の収納状態を示した斜視図である。
【符号の説明】
【００２９】    １    底蓋
２    側面
３    周り縁
４    側面ガード
５    ディスク穴差込棒
６    ディスク浮かし台
７    Ｖカット折筋
８    背面
９    表蓋
１０  リング
１１  ロック突起
１２  ロック突起受け凹
１３  インデックスシート
【図１】
0003106472.tif 000003
【図２】
0003106472.tif 000004
【図３】
0003106472.tif 000005
【図４】
0003106472.tif 000006
【図５】
0003106472.tif 000007
【図６】
0003106472.tif 000008
【手続補正書】
【提出日】平成16年7月30日(2004.7.30)
【手続補正１】
【補正対象書類名】実用新案登録請求の範囲
【補正対象項目名】全文
【補正方法】変更
【補正の内容】
【実用新案登録請求の範囲】
【請求項１】
四角板の底板１から同幅で背板２・表板３の順で、それぞれの境にＶカット折筋４が入って続き、その底板１には、三方外周から内に周り縁５をとって、そこから直角に側面ガード６が立上り、さらに底板１のほぼ真中に、ディスク穴差込棒７を真中に立てた浮かし台８が立上って全体に底蓋９を成し、また表板３には三方外周に側面１０が直角につき、さらにほぼ真中にリング１１が立上って全体に表蓋１２を成しており、さらに前面の側面ガード６にロック突起受け１３のくぼみをつけ、ケースを閉じた際、それにほぼ丁度はまるロック突起１４を側面１０につけたディスク固定棒付包装保管ケース。
【請求項２】
側面ガード６を底板１の四方に囲い、側面１０も表板３の四方に囲った、請求項１記載のディスク固定棒付包装保管ケース。
【請求項３】
左右の側面ガード６のほぼ真中をくり抜いてディスク出入溝１５を設けた、請求項１−２いずれかに記載のディスク固定棒付包装保管ケース。
【請求項４】
ディスク穴差込棒７に差込む穴をあけ、インデックス記入欄を設けたインデックス紙１６を組込み、ケースもそれに合わせて横長にした、請求項１−３いずれかに記載のディスク固定棒付包装保管ケース。
【手続補正２】
【補正対象書類名】明細書
【補正対象項目名】全文
【補正方法】変更
【補正の内容】
【考案の詳細な説明】
【技術分野】
【０００１】    本考案はコンパクトディスクを包装保管するためのケースに関する。
【背景技術】
【０００２】    従来のディスク包装保管ケースにおいては、ディスクを固定するツメが付いてたプラスチックケースや、ディスクを差込んで固定する棒の付いたスピンドルケース等がある。
【考案の開示】
【考案が解決しようとする課題】
【０００３】    従来のディスク包装保管ケースにあっては、いずれもケース全体をプラスチックで一体成型できないので、コスト高と包装手間がかかり、さらにプラスチックケースにおいては、ディスク１枚しか収納できず、逆にスピンドルケースは、ディスク多数枚収納用で１枚収納には向かない構造である問題点がある。
【課題を解決するための手段】
【０００４】    上記課題を解決するために、本考案のディスク包装保管ケースにおいては、四角板の底板１から同幅で背板２・表板３の順で、それぞれ境にＶカット折筋４が入って続き、その底板１には、三方外周から内に周り縁５をとって、そこから直角に側面ガード６が立上り、さらに底板１のほぼ真中に、ディスク穴差込棒７を真中に立てた浮かし台８が立上がって全体に底蓋９を成している。【０００５】    また表板３には、三方外周に側面１０が直角につき、さらにほぼ真中にリング１１が立上って全体に表蓋１２を成している。【０００６】    さらに前面の側面ガード６にロック突起受け１３のくぼみをつけ、ケースを閉じた際、それにほぼ丁度はまるロック突起１４を側面１０につけたものである。【０００７】    また前記において、側面ガード６を底板１の四方に囲い側面１０も表板３の四方に囲うようにしても良く、左右の側面ガード６のほぼ真中をくり抜いてディスク出入れ溝１５を設けるようにしても良く、ディスク穴差込棒７に差込む穴をあけ、インデックス記入欄を設けたインデックス紙１６を組込み、ケースもその分横長にしても良いものである。
【考案の効果】
【０００８】    本考案のディスク包装保管ケースは、プラスチックで一体成型できるので、低コストで製造できる効果がある。【０００９】    またケース厚とそれに合わせてディスク穴差込棒７の長さを変えることにより、ディスク１枚〜所望収納枚数に応じた、それぞれのケース厚のディスク包装保管ケースを得られる効果がある。【００１０】    また収納ディスクのディスク穴をディスク穴差込棒７に差込むと、収納ディスクの横ズレの固定ができる上、さらにケースを閉じると自動的にディスク穴差込棒７の頭がリング１１にはまり、リング１１がディスクを押え込んで上下動の固定ができ、ディスクを固定収納できる効果がある。【００１１】    さらに固定収納されたディスクは、浮かし台８によってディスク入力面、リング１１によってディスクラベル面が、それぞれケースにふれず中空に浮いて収納されるので、衝撃・外圧や湿気・外気熱等からディスクを保護できる効果がある。【００１２】    また側面１０が側面ガード６に内接して周り縁５まで下りてケースを閉じるため、ケースにスキ間ができないので外からホコリ等が入らない上、側面１０が外圧によってケース内へ押しへしゃげることのない効果がある。【００１３】    また表蓋１２を底蓋９に閉じると、表蓋１２のロック突起１４が底蓋９のロック突起受け１３にほぼ丁度はまってロックされ、ケースをしっかり閉じることができる効果がある。【００１４】    また左右の側面ガード６にディスク出入溝１５を設けたものは、ディスクを持った指をそのままディスク出入溝１５に通して収納取出しすることができるので、ディスクの出入れがしやすい効果がある。【００１５】    またインデックス紙１６を組込むようにしたものでは、ディスク１枚毎に間にインデックス紙１６を挟み込んで収納するので、収納ディスクから突出するインデックス記入欄によって、目的のディスクをスピーディに検索できる効果がある。
【考案を実施するための最良の形態】
【００１６】    考案の実施の形態を図面を参照して説明する。図１においてディスクが乗る大きさの四角板の底板１から、同幅で延長して背板２・表板３の順で続き、それらがケースを開閉する際容易に折曲るように、それぞれの境をＶ溝状で折目を薄くしたＶカット折筋４にしている。【００１７】    そして図１において、底板１の外周に当たる三辺から、ほぼ側面１０素材厚の幅を内にとって周り縁５を設け、そこから直角に適当な高さで側面ガード６を立上げ、さらに底板１のほぼ真中に、収納ディスク入力面にかからない薄い円台の浮かし台８が立上り、その真中にディスク穴がほぼ丁度入る太さで、収納ディスク厚にリング１１穴の深さを加えた長さの、円柱のディスク穴差込棒７を立上げて底蓋９を成している。【００１８】    また図１において、表板３の外周に当たる三辺から直角に、ほぼ浮かし台８とディスク穴差込棒７の高さを加えた高さで側面１０が付き、さらにディスク穴差込棒７の頭がケースを閉じた際当たる位置に、浮かし台８と同形で真中にディスク穴差込棒７の頭が入る大きさの穴をあけた、リング１１が立上って表蓋１２を成している。【００１９】    さらに図１において、ケース開け口の側面１０の両サイド付近下端に、小さなかまぼこ状のロック突起１４が内側に突出し、ケースを閉じた際それがほぼピッタリはまるように、側面ガード６にロック突起受け１３をくぼましている。
【実施例】
【００２０】    図２に示される実施例では、側面ガード６と側面１０を三外周部だけに設けるのではなく、それぞれ四方に囲って設けるようにしても良い実施例である。【００２１】    また図３に示される実施例では、ディスクをケースに出入れする際に、ディスクを挟んで持つ指がそのまま通るように、左右の側面ガード６のほぼ真中をくり抜いてディスク出入溝１５を設けるようにしても良い実施例で、側面ガード６を四方に囲った場合も同様にすることができる。【００２２】    また、図４に示される実施例では、多数枚ディスク収納とした場合において、インデックス紙１６を組込むようにしても良い実施例で、収納ディスク１枚毎にインデックス紙１６を間に挟み込むようにするため、インデックス紙１６は、ディスク穴差込棒７に差込めるように穴をあけた上、収納ディスクよりインデックス記入欄部分を突出させた長さにして別途に設け、ケースに組込むようにしたもので、その分ケース全体も横長となっており、上記いずれの実施例に組込むようにしても良いものである。【００２３】    また、図１−４のいずれにおいても、ロック突起１４とロック突起受け１３は、側面１０と周り縁５に設けて噛合いケースをロックできれば、形や位置や数は自由にして設けても良いものである。
【産業上の利用可能性】
【図面の簡単な説明】
【００２４】
【図１】考案を実施するための最良の形態の実施例を示した斜視図である。
【図２】側面ガード６と側面１０を四方に囲った実施例を示す斜視図である。
【図３】左右の側面ガード６にディスク出入溝１５を設けた実施例を示す斜視図である。
【図４】インデックス紙１６を組込んだ実施例を示す斜視図である。
【符号の説明】
【００２５】      １  底板      ２  背板      ３  表板      ４  Ｖカット折筋      ５  周り縁      ６  側面ガード      ７  ディスク穴差込棒      ８  浮かし台      ９  底蓋    １０  側面    １１  リング    １２  表蓋    １３  ロック突起受け    １４  ロック突起    １５  ディスク出入溝    １６  インデックス紙
【手続補正３】
【補正対象書類名】図面
【補正対象項目名】全図
【補正方法】変更
【補正の内容】
【図１】
0003106472.tif 000009
【図２】
0003106472.tif 000010
【図３】
0003106472.tif 000011
【図４】
0003106472.tif 000012